(57)【特許請求の範囲】
【請求項１】
支持板と、当該支持板に起立状態に保持される線状の支持・固定部材と、当該支持・固定部材の先端に固定される表示板とを具備するアイキャッチャーであり、前記支持・固定部材は線状部材が屈曲されて形成されてなり、略Ｕ字状の先端部と他端の開口部とを有する脚部と、この脚部の開口部の一開口端側に前記先端部で規定される平面に対して起立状態で屈曲、連接される支持部、並びに開口部のもう一方の開口端側に前記先端部で規定される平面内に存在するようにして屈曲、連接される係止部とを具備し、前記支持板は紙基材を二つ折りまたは二枚の紙基材が重ね合わされて周辺部で接着され、中央部は中空になっており、かつ上面側の中央部には前記脚部の先端部が挿入、保持される差込口を有することを特徴とするアイキャッチャー。
【請求項２】
差込口は、短辺は支持・固定部材を構成する線状部材の太さと略同じに、長辺は脚部の開口部の幅よりも若干短めにそれぞれ設定されている矩形状の穿孔であることを特徴とする請求項１に記載のアイキャッチャー。
【請求項３】
差込口は、脚部の開口部の幅よりも若干短めの長さに設定され、両端部がＵ字状に丸め込まれている直線状のスリットであることを特徴とする請求項１に記載のアイキャッチャー。
【請求項４】
差込口の一端は支持板の略中央に位置するように形成されていることを特徴とする請求項１ないし請求項３のいずれか１項に記載のアイキャッチャー。
【請求項５】
表示板は紙基材からなることを特徴とする請求項１ないし請求項４のいずれか１項に記載のアイキャッチャー。
【発明の詳細な説明】
【０００１】
【発明の属する技術分野】
本発明は、ＰＯＰ（Ｐｏｉｎｔ  ｏｆ  Ｐｕｒｃｈａｓｅ＝購買時点広告）宣伝等に用いられるアイキャッチャーに関する。
【０００２】
【従来の技術】
従来のアイキャッチャー５０は、図５に示すように、鉄板や樹脂板等からなる支持板５１と、この支持板５１に起立状態に保持される線状の支持・固定部材５２と、この支持・固定部材５２の一方の先端側に固定される表示板５３とから構成され、支持・固定部材５２の他方の先端側には略Ｕ字状の脚部５４が直角に屈曲されて連接されていると共に、支持板５１の中央部には差込部５５が形成されており、この差込部５５に前記支持・固定部材５２の脚部５４を挿入、係止するようになっている。
【０００３】
しかし、このような従来のアイキャッチャーは、支持・固定部材の脚部を挿入、係止するための差込部が、別個に形成しておいた差込部形成用部材を支持板の中央部に貼り付けたり、あるいは鉄板の中央部に２条の平行な切り込みを入れた後に切り込みに挟まれた部分を下側から押圧して凸状に盛り上げること等により形成されており、構成部品が多くなったり、その作製には相当の手間がかかる等の問題点があった。また、図５に示すようなタイプ、すなわち支持・固定部材５２のＵ字状の脚部５４を差込部５５に挿入係止するタイプのアイキャッチャー５０の支持板５１は鉄板やプラスチック板等からなっており、支持板を含め、環境により優しい部材からなるアイキャッチャーの提供も望まれていた。
【０００４】
【発明が解決しようとする課題】
本発明は上記従来の問題点を解決するためになされたもので、支持体等が非常に簡便な工程で作製可能で、しかも特定形状の脚部等を有する支持・固定部材と差込口との組み合わせで、簡単な構成ながら、簡便にかつ確実に支持・固定部材を支持板に起立状態で保持することが可能なアイキャッチャーの提供を目的とする。
【０００５】
【課題を解決するための手段】
本発明は、以上の目的を達成するためになされたものであり、請求項１に記載のアイキャッチャーは、支持板と、当該支持板に起立状態に保持される線状の支持・固定部材と、当該支持・固定部材の先端に固定される表示板とを具備するアイキャッチャーであり、前記支持・固定部材は線状部材が屈曲されて形成されてなり、略Ｕ字状の先端部と他端の開口部とを有する脚部と、この脚部の開口部の一開口端側に前記先端部で規定される平面に対して起立状態で屈曲、連接される支持部、並びに開口部のもう一方の開口端側に前記先端部で規定される平面内に存在するようにして屈曲、連接される係止部とを具備し、前記支持板は紙基材を二つ折りまたは二枚の紙基材を重ね合わされて周辺部が接着され、中央部は中空になっており、かつ上面側の中央部には前記脚部の先端部が挿入、係止される差込口を有することを特徴とすることを特徴とする。
【０００６】
また、請求項２に記載のアイキャッチャーは、請求項１に記載のアイキャッチャーにおいて、差込口は、短辺は支持・固定部材を構成する線状部材の太さと略同じに、長辺は脚部の開口部の開口幅よりも若干短めにそれぞれ設定されている矩形状の穿孔であることを特徴とする。
【０００７】
さらにまた、請求項３に記載のアイキャッチャーは、請求項１に記載のアイキャッチャーにおいて、差込口は、脚部の開口部の開口幅よりも若干短めに設定され、両端部がＵ字状に丸め込まれている直線状のスリットであることを特徴とする。
【０００８】
さらにまた、請求項４に記載のアイキャッチャーは、請求項１ないし請求項３のいずれか１項に記載のアイキャッチャーにおいて、差込口の長手方向の一端は支持板の略中央に位置するように形成されていることを特徴とする。
【０００９】
またさらに、請求項５に記載のアイキャッチャーは、請求項ないし請求項４のいずれか１項に記載のアイキャッチャーにおいて、表示板は紙基材からなることを特徴とする。
【００１０】
【発明の実施の形態】
以下、本発明による実施の形態について図面を参照にして説明する。
【００１１】
図１は、本発明の一実施形態に係るアイキャッチャー１の斜視説明図である。図示のアイキャッチャー１は、基本的には、支持板２と、支持板２に起立状態に保持される線状の支持・固定部材３と、支持・固定部材３の先端に固定される表示板４とを具備する。
【００１２】
支持・固定部材は鋼鉄、竹、木材等の線状部材から形成され、図２に示すように、略Ｕ字状の先端部と他端の開口部とを有する脚部３１と、この脚部３１の開口部の一開口端３２側に脚部３１の略Ｕ字状の先端部で規定される平面に対して起立状態で屈曲、連接される支持部３３と、脚部３１の開口部のもう一方の開口端３４側に脚部３１の先端部で規定される平面内に存在するようにして屈曲、連接される係止部３５とを有している。
この係止部３５は、上記脚部３１と支持部３３との協働で後述する差込口に確実に係止させるためのものであり、その屈曲角は概ね４５度ないし９０度の範囲に設定しておくことが好ましい。
【００１３】
ここで、脚部３１を構成する略Ｕ字状の先端部の形状は、必ずしもＵ字状に限定されるものではなく、例えばＶ字状やコの字状等の略Ｕ字形状をも含むものと理解されたい。要するに、脚部３１は、その一方が差込口に挿入、係止可能な形状の先端部（略Ｕ字状の先端部）を有し、他方には支持部３３と係止部３５をそれぞれ屈曲、連接する開口端３４、３２を有する開口部を少なくとも具備する構成のものであればよい。
【００１４】
一方、支持板２は紙基材を二つ折りまたは二枚の紙基材が重ね合わされて周辺部で接着され、中央部は中空になっており、かつ上面側の中央部には支持・固定部材３の脚部３１の略Ｕ字状の先端部が挿入、係止される差込口２２を有している。
【００１５】
図３にはこのような構成を有する支持板２が、図４にはさらに他の支持板２６が示してある。
これらの支持板２、２６はその中央部に形成されている差込口２２、２７の構成が異なっている。すなわち、図３に示してある支持板２の差込口２２は短辺が支持・固定部材３を構成する線状部材の太さと略同じに、長辺が脚部３１の開口部の幅３６よりも若干短めにそれぞれ設定されている矩形状の穿孔となっている。
【００１６】
一方、図４に示してある支持板２の差込口２２は脚部３１の開口部の幅３６よりも若干短めに設定され、両端部がＵ字状に丸め込まれている直線状のスリットとなっている。
【００１７】
差込口２２、２７の形状や寸法を以上のようにしたのは、支持・固定部材３の脚部３１をこれらの差込口２２、２７に付勢状態で確実に係止させ、状脚部３１の先端部３４、３２のそれぞれに連接する係止部３５と支持部３３との協働で支持板２、２２に起立状態で確実に支持できるようにするためである。
【００１８】
また、これらの差込口２２、２７は、支持板２、２６の中央部に形成されているが、図１、図３、図４に示すように、差込口２２、２７の長手方向の一端が支持板２、２６の略中央に位置するように形成されていることが好ましい。このようにしておくと、脚部の先端部を差込口に挿入、係止したときに支持・固定部材の支持部３３が支持板２、２６の中央部に起立状態に保持されるようになり、バランスが良く表示できるようになる。
【００１９】
しかしながら、差込口の形成状態は上述のものに限定されるものではなく、例えば差込口の構成が差込口２２のような場合、支持板の中央に位置するように設けておけば、支持・固定部材３の脚部３１の挿入方向を気にすることなく脚部３１の先端部を差込口２２に挿入できるようになる。
また、図４に示すような構成の差込口２７の場合には、脚部３１の挿入方向２９が限定されてしまうが、両端のＵ字状に丸め込まれた部分によって支持・固定部材３の支持部３３と係止部３５とをしっかりとホールドできるようにもなる。
また、差込口２７の直線状のスリットの中央部に破線で示すような切れ込みを入れておくと、脚部３１の先端部がより挿入し易くなる。
【００２０】
一方、図４は支持板２６の作製状態の一例も示している。この支持板２６は紙基材２１の所望周辺部に接着部２８を形成させた後（ｂ）、紙基材２１を二つ折りして接着部２８で貼り合わせ（ｃ）、中央部は中空にして一体化して得られる（ｄ）。
【００２１】
支持板２、２６を構成する紙基材２１は、図示かつ上述したような構成であるので、厚手の紙基材を打ち抜くだけで簡単に得られる。しかも、このように簡単な構成の紙基材から作製される支持板２、２６は、前述したような特定形状の支持・固定部材３を使用し、その脚部３１の先端部を差込口２２、２７に挿入するだけで脚部３１と支持部３３と係止部３５との３点で確実に起立状態で保持できることになる。
【００２２】
また、本発明のアイキャッチャーは簡単に解体することも可能である。従って、例えば支持固定部材３を鉄部材とし、表示板４も支持板と同様に紙基材にしておけば、使用済みのアイキャッチャーは簡単に解体できることは勿論のこと、解体された各部材を効率よくリサイクルさせることも可能となる。
【００２３】
【発明の効果】
本発明は以上のような構成であるので、支持板等が非常に簡便に作製でき、しかも特定形状の脚部等を有する支持・固定部材と差込口との組み合わせで、簡単な構成ながら、簡便にかつ確実に支持・固定部材を支持板に起立状態で保持することが可能となる。
【図面の簡単な説明】
【図１】本発明一実施形態の斜視説明図である。
【図２】支持・固定部材の斜視説明図である。
【図３】支持板の一例を示す説明図である。
【図４】支持板の他の例と作製工程の説明図である。
【図５】従来のアイキャッチャーの斜視説明図である。
【符号の説明】
１、５０・・アイキャッチャー
２、２６、５１・・支持板
３、５２・・支持・固定部材
４、５３・・表示板
２１・・紙基材
２２、２７・・差込口
２８・・接着部
３１・・脚部
３２、３４・・開口端
３３・・支持部
３５・・係止部
３６・・開口部の幅
【図１】
0004622089.tif 000002
【図２】
0004622089.tif 000003
【図３】
0004622089.tif 000004
【図４】
0004622089.tif 000005
【図５】
0004622089.tif 000006